(57)【要約】【課題】プラグの差し込みに係る作業を簡略化し、従来に比して一段と使い勝手を向上することができる留め金、この留め金を使用した装身具を提供する。【解決手段】プラグに設けられた突片２４Ａを、本体２５に設けられた挿入孔２５Ａに挿入してプラグ２４と本体２５とを接続する留め金２３において、突片２４Ａの根元に段差２４Ｃを設け、この段差２４Ｃに引っ掛かって突片２４Ａの脱落を防止する脱落防止機構を設けられる。またプラグ２４には、突片２４Ａの先端に磁石２４Ｂを設け、挿入孔２５Ａの奥に、この磁石２４Ｂを引き寄せる磁石を設ける。【選択図】図１
2013081524.tif 000002
【特許請求の範囲】
【請求項１】
プラグに設けられた突片を、本体に設けられた挿入孔に挿入して、前記プラグと前記本体とを接続する装身具の留め金において、
前記プラグには、前記突片の根元に段差が設けられ、
前記本体には、前記挿入孔に挿入された前記突片の根元の段差に引っ掛かって、前記突片の前記挿入孔からの脱落を防止する脱落防止機構が設けられ、
さらに前記プラグには、前記突片の先端に磁石が設けられ、
前記本体には、前記挿入孔の奥に、前記突片の磁石を引き寄せる磁石が設けられた
留め金。
【請求項２】
前記本体は、
回動軸により外ケースに対して内ケースを回動自在に保持し、
前記脱落防止機構は、
バネによる付勢により、前記挿入孔に挿入された前記突片の段差に、前記内ケースの端部を引っ掛けて、前記突片の前記挿入孔からの脱落を防止する
請求項１に記載の留め金。
【請求項３】
請求項１、又は請求項２の留め金を備えた装身具。
【発明の詳細な説明】
【技術分野】
【０００１】
本発明は、例えばネックレス等に利用する留め金、この留め金を使用したネックレス等の装身具に関する。
【背景技術】
【０００２】
従来、ネックレス等の装身具は、各種の留め金が使用されている。図３は、この従来の留め金によるネックレスを示す図である。このネックレス１は、チェーン２の一端が留め金３のプラグ４に接続され、チェーン２の他端が留め金３の本体５に接続される。
【０００３】
ここでプラグ４は、根元部分に段差４Ｃが設けられた棒状の突片４Ａを有し、この突片４Ａの根元側端にチェーン２の一端が接続される。本体５は、全体が丸みを帯びた長方体形状により作成され、その短辺側の端面にチェーン２の他端が接続され、この端面に対向する端面にプラグ４の突片４Ａを挿入する挿入孔５Ａが設けられる。本体５は、図示しないバネにより付勢されて、回動軸６により回動可能に外ケース８に内ケース７が配置される。本体５は、矢印Ａにより示すように、このバネによる付勢に抗するように、外ケース８及び内ケース７を押圧することにより、挿入孔５Ａに突片４Ａを抜き差しすることができる。また挿入孔５Ａに突片４Ａを差し込んだ状態で、外ケース８及び内ケース７の押圧を中止することにより、突片４Ａに設けられた段差４Ｃに内ケース７が部分的に噛み合ってプラグ４の脱落を防止する。
【０００４】
図４（ａ）は、外ケース８を上端面側で切り取って示す留め金３の断面図であり、図４（ｂ）は、この図４（ａ）をＢ−Ｂ線により切り取って示す断面図である。なおこの図４では各部の丸みを省略して示す。留め金３は、回動軸６にコイルバネ１０が配置され、このコイルバネ１０により付勢されて外ケース８に内ケース７が配置される。留め金３は、このコイルバネ１０による付勢により、内ケース７の挿入孔５Ａ側端が突片４Ａの段差４Ｃに噛み合い、これによりプラグ４の脱落を防止する。またこのコイルバネ１０による付勢に抗するように外ケース８に対して内ケース７を回動させることにより、突片４Ａの段差４Ｃに噛み合う部位を退避させて、プラグ４を抜き差しすることができる。
【０００５】
このような留め金に関して、特開２００８−２３７９３０号公報等には磁力を利用してチェーン両端の部材を接続、保持する工夫が開示されている。
【先行技術文献】
【特許文献】
【０００６】
【特許文献１】特開２００８−２３７９３０号公報
【発明の概要】
【発明が解決しようとする課題】
【０００７】
ところで図３について上述した差し込み式の留め金３は、簡易に作成することができ、かつ操作が簡易な特徴を有する。しかしながら一段と簡易な操作により装着することができれば、一段と使い勝手を向上することができる。
【０００８】
本発明は、以上の点を考慮してなされたものであり、従来に比して一段と使い勝手を向上した留め金及びこの留め金を使用した装身具を提供することを目的とする。
【課題を解決するための手段】
【０００９】
本発明者らは、磁石の磁力を使用してプラグの差し込みに係る作業を簡略化するとの着想を見出し、本発明を完成するに至った。
【００１０】
（１）  プラグに設けられた突片を、本体に設けられた挿入孔に挿入して、前記プラグと前記本体とを接続する装身具の留め金において、
前記プラグには、前記突片の根元に段差が設けられ、
前記本体には、前記挿入孔に挿入された前記突片の根元の段差に引っ掛かって、前記突片の前記挿入孔からの脱落を防止する脱落防止機構が設けられ、
さらに前記プラグには、前記突片の先端に磁石が設けられ、
前記本体には、前記挿入孔の奥に、前記突片の磁石を引き寄せる磁石が設けられる。
【００１１】
（１）によれば、プラグには、突片の根元に段差が設けられ、本体には、挿入孔に挿入された突片の根元の段差に引っ掛かって、突片の挿入孔からの脱落を防止する脱落防止機構が設けられていることにより、突片を挿入孔に挿入して装着することができる。この構成において、さらにプラグには、突片の先端に磁石が設けられ、本体には、挿入孔の奥に、突片の磁石を引き寄せる磁石が設けられることにより、挿入孔の近傍に突片を持ち来たして相対位置を可変するだけで、磁石による磁力のガイドにより突片をスムーズに挿入孔に差し込むことができ、これにより磁石の力を有効に利用して簡易に装着することができる。従ってプラグの差し込みに係る作業を簡略化し、従来に比して一段と使い勝手を向上することができる。
【００１２】
（２）  （１）において、
前記本体は、
回動軸により外ケースに対して内ケースを回動自在に保持し、
前記脱落防止機構は、
バネによる付勢により、前記挿入孔に挿入された前記突片の段差に、前記内ケースの端部を引っ掛けて、前記突片の前記挿入孔からの脱落を防止する。
【００１３】
（２）によれば、より具体的な構成により、プラグの差し込みに係る作業を簡略化し、従来に比して一段と使い勝手を向上することができる。
【００１４】
（３）  （１）、又は（２）の留め金を備えた装身具。
【００１５】
（３）によれば、プラグの差し込みに係る作業を簡略化し、従来に比して一段と使い勝手を向上した留め金による装身具を提供することができる。
【発明の効果】
【００１６】
本発明によれば、プラグの差し込みに係る作業を簡略化し、従来に比して一段と使い勝手を向上することができる。
【図面の簡単な説明】
【００１７】
【図１】本発明の第１実施形態のネックレスを示す図である。
【図２】図１のネックレスに適用される留め金の断面図である。
【図３】従来のネックレスを示す図である。
【図４】図３のネックレスに適用される留め金の断面図である。
【発明を実施するための形態】
【００１８】
以下、本発明の実施形態について図面を参照しながら説明する。
【００１９】
〔第１実施形態〕
図１は、図３との対比により、本発明の第１実施形態に係る装身具であるネックレスを示す図である。このネックレス２１は、チェーン２の一端が留め金２３のプラグ２４に接続され、チェーン２の他端が留め金２３の本体２５に接続される。
【００２０】
ここでプラグ２４は、根元部分に段差２４Ｃが設けられた円柱形状による棒状の突片２４Ａを有し、この突片２４Ａの根元側端にチェーン２の一端が接続される。本体２５は、全体が丸みを帯びた長方体形状により作成され、その短辺側の端面にチェーン２の他端が接続され、この端面に対向する端面にプラグ２４の突片２４Ａを挿入する挿入孔２５Ａが設けられる。
【００２１】
プラグ２４は、突片２４Ａの先端に磁石２４Ｂが設けられ、本体２５は、この磁石２４Ｂを吸着するように、挿入孔２５Ａの奥に磁石が設けられる。これにより留め金２３は、簡易に突片２４Ａを挿入孔２５Ａに差し込むことができ、プラグ２４の差し込みに係る作業を簡略化し、従来に比して一段と使い勝手を向上することができる。
【００２２】
すなわちネックレスは、チェーンを首に巻きつけて背中側で留め金を操作して装着する。これによりネックレスは、何ら目視により留め金を確認することなく、経験と勘によりプラグの突片を本体の挿入孔に挿入することになる。これにより図３について上述した従来構成の留め金では、挿入孔が設けられている本体の端面に突片の先端を押し付けながら、突片の位置を可変して挿入孔に差し込むことになる。しかしながらこの実施形態の留め金２３では、突片２４Ａの先端に設けた磁石２４Ｂを、挿入孔２５Ａの奥に設けた磁石が引き寄せることにより、突片２４Ａを、挿入孔２５Ａの近傍に持ち来たしさえすれば、磁石の磁力によるガイドにより突片２４Ａをスムーズに挿入孔２５Ａに差し込むことができ、これにより磁石の力を有効に利用して簡易に装着することができる。
【００２３】
しかしながら磁石に力のみによっては、装着作業を簡略化できるものの、その後、チェーン２を充分に保持することができない。そこで留め金２３では、さらに突片２４Ａの根元に設けられた段差２４Ｃを利用して突片２４Ａの脱落を防止する。
【００２４】
すなわち本体２５は、図示しないバネにより付勢されて、回動軸２６により回動可能に外ケース２８に内ケース２７が配置される。本体２５は、矢印Ａにより示すように、このバネによる付勢に抗するように、外ケース２８及び内ケース２７を押圧することにより、挿入孔２５Ａに突片２４Ａを差し込む開口が挿入孔２５Ａに作成され、またこのように挿入孔２５Ａに突片２４Ａを差し込んだ状態で、外ケース２８及び内ケース２７の押圧を中止することにより、突片２４Ａに設けられた段差２４Ｃに内ケース２７が部分的に噛み合ってプラグ２４の脱落を防止する。
【００２５】
図２（ａ）は、外ケース８を上端面で切り取って示す留め金２３の断面図であり、図２（ｂ）は、この図２（ａ）をＣ−Ｃ線により切り取って示す断面図である。なおこの図２では各部の丸みを省略して示す。留め金２３は、回動軸２６にコイルバネ３０が配置され、このコイルバネ３０により付勢されて外ケース２８に内ケース２７が配置されて一体化される。なおこの実施形態において、この回動軸２６は、金属によるパイプ材が適用され、このパイプ材の両端にカシメによりつばを作成して脱落しないように内ケース２７、コイルバネ３０と一体に外ケース２８に取り付けられる。これによりこの留め金３は、簡易な作業により組み立てられる。留め金２３は、このコイルバネ３０による付勢により、内ケース２７の挿入孔２５Ａ側端が突片２４Ａの段差２４Ｃに噛み合い、これによりプラグ２４の脱落を防止する。またこのコイルバネ３０による付勢に抗するように押圧して、外ケース２８に対して内ケース２７を回動させることにより、突片２４Ａの段差２４Ｃに噛み合う部位を退避させて、プラグ２４を抜き差しすることができる。なおこの図２において、本体２５側の磁石３１は、外ケース２８に保持される。なおこれらによりこの実施形態では、段差２４Ｃ、回動軸２６、外ケース２８、内ケース２７、コイルバネ３０によりプラグ２４の脱落防止機構が構成される。
【００２６】
以上の構成によれば、プラグには、突片の根元に段差が設けられ、本体には、挿入孔に挿入された突片の根元の段差に引っ掛かって、突片の挿入孔からの脱落を防止する脱落防止機構が設けられていることにより、突片を挿入孔に挿入して装着することができる。これによりプラグが本体より外れ難くして、種々のアクセサリーを楽しむことができる。さらにこの構成において、突片の先端に磁石を設け、挿入孔の奥に、突片の磁石を引き寄せる磁石を設けることにより、挿入孔の近傍に突片を持ち来たして相対位置を可変するだけで、磁石による磁力のガイドにより突片をスムーズに挿入孔に差し込むことができ、これにより磁石の力を有効に利用して簡易に装着することができる。従ってプラグの差し込みに係る作業を簡略化し、従来に比して一段と使い勝手を向上することができる。
【００２７】
すなわち従来に比して装着作業を簡略化できることにより、高齢者でも容易に着脱してアクセサリーを楽しむことができる。またプラグを本体に取り付けた後には、段差を利用して脱落を防止することができ、これにより外れ難い構成としてアクセサリーを安心して楽しむことができる。
【００２８】
〔他の実施形態〕
以上、本発明の実施に好適な具体的な構成を詳述したが、本発明は、本発明の趣旨を逸脱しない範囲で、上述の実施形態の構成を種々に変更することができる。
【００２９】
すなわち上述の実施形態では、コイルバネにより外ケース及び内ケースを付勢する場合について述べたが、本発明はこれに限らず、種々のバネ材、弾性部材により付勢してもよい。
【００３０】
また上述の実施形態では、内ケースの端部を段差に引っ掛けてプラグの脱落を防止する場合について述べたが、本発明はこれに限らず、種々の脱落防止機構の構成を広く適用することができる。
【００３１】
また上述の実施形態では、パイプ材による回動軸により内ケース及び外ケースを一体化する場合について述べたが、本発明はこれに限らず、例えば従来と同様の円柱部材を回動軸に適用する場合等、種々の手法により内ケース及び外ケースを一体化する場合に広く適用することができる。またカシメ材により回動軸を形成して内ケース及び外ケースを一体化しても良い。またさらにコイルバネの両端を内ケース及び外ケースの貫通孔に挿通して、コイルバネに併せて回動軸の機能を担わせるようにしてもよい。
【００３２】
また上述の実施形態では、本発明をネックレスに使用する場合について述べたが、本発明はこれに限らず、ブレスレット、アンクレット等のチェーンを使用した各種の装身具に広く適用することができる。
【符号の説明】
【００３３】
１、２１  ネックレス
２  チェーン
３、２３  留め金
４、２４  プラグ
４Ａ、２４Ａ  突片
４Ｃ、２４Ｃ  段差
５、２５  本体
５Ａ、２５Ａ  挿入孔
６、２６  回動軸
７、２７  内ケース
８、２８  外ケース
２４Ｂ、３１  磁石
１０、３０  コイルバネ
【図１】
2013081524.tif 000003
【図２】
2013081524.tif 000004
【図３】
2013081524.tif 000005
【図４】
2013081524.tif 000006